(57)【要約】 【課題】  空中に設置された構築物であっても、その構築物の外面の処理作業を容易かつ安全に行い得るようにするとともに、同時に、処理物の飛散防止を実現して、効率よくその構築物の外面処理を行うことのできる作業用足場装置を提供すること。【解決手段】  空中に延在する水平鉄管１００の外面の処理作業を行う際に設置する作業用足場装置１０であって、水平鉄管の上部に対面する天井側部材１１と、水平鉄管の側部に対面する壁側部材１２と、水平鉄管の下部に対面する床側部材１３と、水平鉄管に設置されている歩道１０１の手摺１０２に接触しないように天井側部材を支持するとともに、その歩道上にローラ部材２２を転動させて移動する支持台車部材１４と、を備えており、床側部材には足場板２１を載せるとともに、これら部材１１〜１３の周囲を飛散防止ネット３１や飛散防止シート３２で覆う。【選択図】      図１
2006291629.tif 000002
【特許請求の範囲】
【請求項１】
空中に延在する構築物の外面の処理作業を行う際に設置する作業用足場装置であって、
構築物の上部に対面して該構築物の延在方向に対して直交する天井側部材と、該天井側部材の両端部から吊り下げられて構築物の側部に対面する壁側部材と、該壁側部材の双方の下部に連結されて構築物の下部に対面する床側部材と、天井側部材の構築物側に対応する部位に取り付けられて該天側井部材を構築物上部に支持する転動部材と、を備えて、
天井側部材、壁側部材および床側部材により構築物の周囲を覆うとともに、少なくとも床側部材に足場用板材が設置されていることを特徴とする作業用足場装置。
【請求項２】
前記天井側部材、壁側部材および床側部材により画成される空間のうち少なくとも側面側、前面側および後面側を、処理物が飛散するのを防止するネットで覆うことを特徴とする請求項１に記載の作業用足場装置。
【請求項３】
前記床側部材の上には、処理物が飛散するのを防止するシートが敷かれていることを特徴とする請求項１または２に記載の作業用足場装置。
【請求項４】
前記壁側部材の上下方向の内側中間部に足場用板材を支持するブラケット部材を取り付けたことを特徴とする請求項１から３のいずれかに記載の作業用足場装置。
【請求項５】
前記構築物の上部に設置されている手摺付きの歩道上に、転動部材を転動可能に当接させるとともに、該歩道の手摺に接触しないように天井側部材を支持する支持部材を備えることを特徴とする請求項１から４のいずれかに記載の作業用足場装置。
【発明の詳細な説明】
【技術分野】
【０００１】
本発明は、作業用足場装置に関し、詳しくは、空中に設置された鉄管などの外面の錆落しや塗装などの処理作業を容易かつ安全に行うことを可能にするものに関する。
【背景技術】
【０００２】
従来より、構築物の外面に対して防錆処理などを施す場合には、その構築物の周囲に足場を組むのが一般的であり、その足場は、錆落しや塗装等の処理を施す構築物の外面の近傍、例えば、作業者の手が届く距離に組まれる。
【０００３】
しかるに、例えば、水力発電用の水を流通させる水路鉄管の外面に防錆処理を施す場合にも、その水路鉄管に沿うように足場を組む必要があるが、この水路鉄管が峡谷などの壁面間に設置されていて、空中に構築されている場合にも、その水路鉄管の全長に亘って足場を組むのでは、大規模な足場になって費用が掛かりすぎてしまう。
【０００４】
このことから、橋梁構築物における作業用足場として、その長手方向に足場を移動可能にした装置が提案されていることから、この足場装置を利用して水路鉄管の延在方向に足場を移動させつつ作業することを実現することが考えられる（例えば、特許文献１参照）。
【特許文献１】特開２００２−２１２９１９号公報
【発明の開示】
【発明が解決しようとする課題】
【０００５】
しかしながら、このような上記文献１に記載の作業用足場装置にあっては、構築物の下側が開放されているので、その構築物の下部に対する処理作業を行うことができない。さらに、この作業用足場装置では、その開放部分から粉塵や塗料などが飛散してしまうことを防止することができない。
【０００６】
また、このような水路鉄管の上部には、歩道が設置されている場合があり、この場合には、その歩道が邪魔になって、上記文献１に記載の橋梁構築物の作業用足場装置を流用することができない。
【０００７】
そこで、本発明は、空中に設置された構築物であっても、その構築物の外面の処理作業を容易かつ安全に行い得るようにするとともに、同時に、処理物の飛散防止を実現して、効率よくその構築物の外面処理を行うことのできる作業用足場装置を提供することを目的とする。
【課題を解決するための手段】
【０００８】
上記課題を解決する作業用足場装置の第１の発明は、空中に延在する構築物の外面の処理作業を行う際に設置する作業用足場装置であって、構築物の上部に対面して該構築物の延在方向に対して直交する天井側部材と、該天井側部材の両端部から吊り下げられて構築物の側部に対面する壁側部材と、該壁側部材の双方の下部に連結されて構築物の下部に対面する床側部材と、天井側部材の構築物側に対応する部位に取り付けられて該天井側部材を構築物上部に支持する転動部材と、を備えて、天井側部材、壁側部材および床側部材により構築物の周囲を覆うとともに、少なくとも床側部材に足場用板材が設置されていることを特徴とするものである。
【０００９】
この発明では、構築物の下側を床側部材に設置された足場用板材で覆うことができ、また、その足場用板材に立って、構築物の上部や両側部に加えて下部の外面処理作業も容易に行うことができる。また、天井側部材に足場用板材が設置されている場合には、そこに立って、構築物の上部の外面処理作業を容易に行うことができるとともに、例えば、構築物の上部を転動部材が転動して延在方向に移動した後に、その構築物に移動不能に連結する作業なども容易に行うことができる。したがって、構築物の下部の外面処理作業を容易化するとともに、その下部の足場用板材で塗料などの処理物が無制限に飛散するのを防止することができる。
【００１０】
上記課題を解決する作業用足場装置の第２の発明は、上記第１の発明の特定事項に加え、前記天井側部材、壁側部材および床側部材により画成される空間のうち少なくとも側面側、前面側および後面側を、処理物が飛散するのを防止するネットで覆うことを特徴とするものである。
【００１１】
この発明では、作業空間の両側面側および前後面側が飛散防止ネットで覆われる。したがって、床側の足場用板材に加えて、作業空間の内外の空気の流通を妨げることなく、塗料の細かい飛沫などの処理物もそのネットに付着させて飛散することを防止することができる。ここで、作業空間の上面側や下面側も飛散防止ネットで覆ってもよいことはいうまでもなく、この場合には、より信頼性高く、細かい飛沫などを飛散することを防止することができる。
【００１２】
上記課題を解決する作業用足場装置の第３の発明は、上記第１または第２の発明の特定事項に加え、前記床側部材の上には、処理物が飛散するのを防止するシートが敷かれていることを特徴とするものである。
【００１３】
この発明では、作業空間の下面側にシートが敷かれる。したがって、床側の足場用板材に加えて、下面側がシートにより覆われることにより、足場用板材が複数に分割されていて隙間があったとしても、その隙間から塗料の細かい飛沫などの処理物もそのシートに確実に付着させて飛散することを防止することができる。ここで、このシートは、折り畳める材料であってもよく、また、硬質の板状に形成されて下面側全体を覆う場合には、このシートにより足場用板材と兼用させてもよい。
【００１４】
上記課題を解決する作業用足場装置の第４の発明は、上記第１から第３のいずれかの発明の特定事項に加え、前記壁側部材の上下方向の内側中間部に足場用板材を支持するブラケット部材を取り付けたことを特徴とするものである。
【００１５】
この発明では、天井側部材と床側部材の間に足場用板材を設置することができる。したがって、床側部材の足場用板材から作業しづらい場合でも、その壁側部材に設置した足場用板材を利用して容易に外面処理作業を行うことができる。
【００１６】
上記課題を解決する作業用足場装置の第５の発明は、上記第１から第４のいずれかの発明の特定事項に加え、前記構築物の上部に設置されている手摺付きの歩道上に、転動部材を転動可能に当接させるとともに、該歩道の手摺に接触しないように天井側部材を支持する支持部材を備えることを特徴とするものである。
【００１７】
この発明では、構築物の手摺に天井側部材が接触しないように支持しつつ歩道上を転動部材が転動して移動することができる。したがって、構築物の上部に手摺付きの歩道が設置されている場合でも、その手摺が邪魔になることなく、延在方向に移動させてその構築物の外面の処理作業を行うことができる。
【発明の効果】
【００１８】
このように本発明によれば、構築物の下部に対面する床側部材に足場用板材を設置するので、構築物の下部の外面処理作業も容易かつ安全に行うことができるとともに、構築物の下側を足場用板材で覆って塗料などの処理物が無制限に飛散することを防止することができる。さらに、その作業空間をネットやシートで覆うことにより、細かい飛沫などの飛散も防止することができる。したがって、構築物の外面処理に集中して作業することができ、作業性を向上させて、効率よく作業を進めることができる。
【発明を実施するための最良の形態】
【００１９】
以下、本発明の最良の実施形態を図面に基づいて説明する。図１〜図３は本発明に係る作業用足場の一実施形態を示す図である。
【００２０】
図１〜図３において、作業用足場装置１０は、例えば、峡谷の壁面間に水平の姿勢で設置されている円筒形状（断面円形）の水力発電用の水路鉄管（構築物）１００の外面に何等かの処理を施す際に使用するものであり、例えば、その水平鉄管１００の外面の錆を落として再塗装する防錆処理などを行う場合に最適に用いることができる。ここで、水平鉄管１００は、その上部に歩道１０１が設置されており、その歩道１０１の両脇には、手摺１０２が取り付けられている。
【００２１】
作業用足場装置１０は、水平鉄管１００に対して直交する方向でその上部側に対面する天井側部材１１と、水平鉄管１００の両側部側に対面する壁側部材１２と、水平鉄管１００の下部側に対面する床側部材１３と、天井側部材１１を水平鉄管１００上部の歩道１０１上で延在方向に移動可能に支持する支持台車部材１４と、を備えており、これら部材１１〜１４は、水平鉄管１００の径に応じた長さの足場用パイプ（所謂、単管パイプ）を互いに相対回転可能な自在クランプなどで連結することにより組み立てられている。
【００２２】
天井側部材１１は、水平鉄管１００の両側に作業スペースを確保することができるように、その直径よりも長めに設定されており、その水平鉄管１００の延在方向にも作業スペースを確保するように、その延在方向に対する前後方向（以下、単に前後方向ともいう）に三列並列されて幅方向にも適宜連結されている。
【００２３】
壁側部材１２は、水平鉄管１００の下側にも作業スペースを確保することができるように、その直径に、歩道１０１の手摺１０２の高さ（支持台車部材１４の高さ）を加えた寸法よりも長めに設定されており、天井側部材１１の両端部に吊り下げるように前後方向に三列並列されて高さ方向にも適宜連結されている。なお、天井側部材１１と床側部材１３の間で垂直に連結された壁側部材１２は、水平の部材１２ａが転落を防止する手摺としても機能する。
【００２４】
床側部材１３は、天井側部材１１と同様の長さに設定されて、前後方向に三列並列されて幅方向にも適宜連結されており、その上には、概略全面を覆うように足場板２１が設置されている。
【００２５】
これにより、床側部材１３に設置された足場板２１に立って、水平鉄管１００の上部や側部の外面に加えて、その下部の外面の塗装落しや錆落しとともに、その後に塗装するなどの外面処理を容易に行うことができ、このとき、下方に落下する塗料などは足場板２１で受けて外部環境を汚してしまうことを防止することができる。
【００２６】
支持台車部材１４は、前後方向に並列された天井側部材１１を支持するように四角の骨組みで構築されており、水平鉄管１００の上部に設置されている歩道１０１の手摺１０２間の幅よりも幅狭で、その手摺１０２の上側に上部が露出する高さに設定されている。この支持台車部材１４は、その下部の四隅に、ローラ部材２２が前後方向に回転自在に軸支されている。すなわち、支持台車部材１４本体が天井側部材１１を手摺１０２に接触しないように支持する支持部材を構成して、取り付けられているローラ部材２２が歩道１０１上に転動可能に当接して天井側部材１１を支持する転動部材を構成している。
【００２７】
これにより、支持台車部材１４は、天井側部材１１、壁側部材１２および床側部材１３を水平鉄管１００に対面する姿勢で支持しつつ、手摺１０２に天井側部材１１を接触させてしまうことなく（手摺１０２が邪魔になってしまうことなく）、歩道１０１上でローラ部材２２が転動することができ、水平鉄管１００の周囲を囲う状態でその作業用足場装置１０を延在方向に移動させることができる。このとき、作業用足場装置１０は、歩道１０１上でそのまま押し曳きして移動させてもよく、また、ワイヤを連結してウインチにより引っ張って移動させてもよい。なお、この作業用足場装置１０の天井側部材１１、壁側部材１２、床側部材１３、支持台車部材１４では、筋違え２５を取り付けて補強している。
【００２８】
この作業用足場装置１０の壁側部材１２には、水平鉄管１００側に突出するブラケット部材２７が固設されており、そのブラケット部材２７の上には、水平鉄管１００と平行に延在する足場板２９が設置されている。このブラケット部材２７は、壁側部材１２に対して直角に取り付けられる水平部材２７ａと、この水平部材２７ａよりも下側の壁側部材１２に取り付けられてその水平部材２７ａの先端側を支持する傾斜部材２７ｂと、により構成されており、載せられた足場板２９を変形不能な三角形で強固に支持する。
【００２９】
これにより、水平鉄管１００が大径の構築物で床側部材１３の足場板２１だけではその上部側に手が届かない場合にも、そのブラケット部材２７の足場板２９に乗って容易に作業することができる。
【００３０】
また、この作業用足場装置１０は、天井側部材１１、壁側部材１２および床側部材１３により囲われた作業空間の側面側（壁側部材１２の外面側）と共に、水平鉄管１００の延在方向の前後面側も、塗料の飛沫などを透過させずに付着させることができる程度の網目に設定されている飛散防止ネット３１により覆われている。ここで、飛散防止ネット３１は、天井側部材１１の上面側や床側部材１３の下面側をも覆うようにしてもよいことはいうまでもない。
【００３１】
さらに、この作業用足場装置１０は、床側部材１３上の複数の足場板２１の全面を覆うように飛散防止シート（例えば、自由に折り畳んだり屈曲させて多種の資材等を覆うことのできる所謂、ブルーシート）３２が敷かれている。ここで、シート３２は、折り畳めるシートに限らずに、硬質のプラスチックシートの複数枚を重ねるようにして足場板２１の全面に敷いてもよく、また、所望の強度を有する大面積の足場板を準備できる場合には、その足場板にシートを兼用させてもよい。また、このシート３２は、足場板２１の上に限らずに、下に敷いてもよいことはいうまでもない。
【００３２】
これにより、水平鉄管１００の外面の塗装落としや錆落しを行って塗装する場合には、天井側部材１１、壁側部材１２および床側部材１３により囲われた作業空間の内外に空気が流通することを妨げることなく、その外面の防錆処理中の塗料や錆を、床側部材１３の足場板２１に加えて、飛散防止ネット３１に付着させるなどして落下することを防止することができ、塗料の飛沫などにより外部環境を汚してしまうことをより確実に防止することができる。また、その足場板２１には、シート３２が敷かれて覆われているので、その足場板２１の間の隙間から、塗料や錆などを落下させてしまうことなく受け取って、塗料の飛沫などにより外部環境を汚してしまうことをより確実に防止することができ、また、その足場板２１が汚れてしまうことも回避することができる。
【００３３】
このように本実施形態においては、水平鉄管１００の下側に床側部材１３を設けて足場板２１を設置するとともに、その作業空間の外面側を飛散防止ネット３１や飛散防止シート３２で覆うことにより、その水平鉄管１００の外面の上部側から下部側まで塗装などする作業を容易かつ安全に行うことができ、また、その作業中に塗料の飛沫などが飛散することを防止することができる。したがって、水平鉄管１００の外面に防錆処理を施す際には、足場板２１、２９に立って、外部に塗料などが飛散しないように必要以上に注意することなく、その外面処理に集中して作業することができる。この結果、水平鉄管１００の外面処理作業を優れた作業性で効率よく進めることができる。
【００３４】
本実施形態の他の態様としては、図示することは省略するが、天井側部材１１の上にも足場板を載せて作業し易くしてもよい。この場合には、組立・解体作業を容易化することができるとともに、構築物の上部に手摺がない場合などには、その足場板に乗って作業することもできる。
【００３５】
また、天井側部材１１と壁側部材１２を連結する手摺１０２に近い筋違えを設けて、その手摺１０２に自在クランプなどで連結することにより、支持台車部材１４がふらついてしまうことを制限して、作業用足場装置１０をより安定させるようにしてもよい。この場合には、その固定箇所での作業が終了後に、支持台車部材１４を移動させて作業位置を変更・固定することを繰り返せばよい。
【産業上の利用可能性】
【００３６】
これまで本発明の一実施形態について説明したが、本発明は上述の実施形態に限定されず、その技術的思想の範囲内において種々異なる形態にて実施されてよいことはいうまでもない。
【図面の簡単な説明】
【００３７】
【図１】本発明に係る作業用足場装置の一実施形態の概略全体構成を示す図であり、その構築物の延長方向から見た正面図である。
【図２】その構築物の側方から見た側面図である。
【図３】その要部の構造を示す図であり、（ａ）はその側面図、（ｂ）はその正面図である。
【符号の説明】
【００３８】
１０    作業用足場装置
１１    天井側部材
１２    壁側部材
１３    床側部材
１４    支持台車部材
２１、２９    足場板
２２    ローラ部材
２７    ブラケット部材
３１    飛散防止ネット
３２    飛散防止シート
１００    水平鉄管
１０１    歩道
１０２    手摺
【図１】
2006291629.tif 000003
【図２】
2006291629.tif 000004
【図３】
2006291629.tif 000005